(57)【特許請求の範囲】
【請求項１】
電子スチル・カメラを接続し，電子スチル・カメラのメモリから読出されて出力される画像データを受け入れる第１のコネクタ，
メモリ・カートリッジを接続し，メモリ・カートリッジ内のメモリから読出されて出力される画像データを受け入れる第２のコネクタ，
与えられる画像データを表示に適した映像信号に変換して出力する再生手段，
上記第１のコネクタに接続される電子スチル・カメラのメモリまたは上記第２のコネクタに接続されるメモリ・カートリッジのメモリから読出されるべき画像データを指定するための画像指定手段，ならびに
上記第１および第２のコネクタのいずれか一方を選択し，選択されたコネクタを通して，上記画像指定手段によって指定された画像データを上記再生手段に与えるコネクタ選択手段，
を備えた電子スチル・カメラのための再生装置。
【請求項２】
上記コネクタ選択手段によって選択された第１または第２のコネクタに，対応する電子スチル・カメラまたはメモリ・カートリッジが接続されていないときに警告する警告手段をさらに備えた請求項１に記載の再生装置。
【請求項３】
動作を指令するための第１の操作部を有する電子スチル・カメラを接続し，電子スチル・カメラのメモリから読み出されて出力される画像データを受け入れる第１のコネクタ，
メモリ・カートリッジを接続し，メモリ・カートリッジ内のメモリから読み出されて出力される画像データを受け入れる第２のコネクタ，
与えられる画像データを表示に適した映像信号に変換して出力する再生手段，
上記第１および第２のコネクタのいずれか一方を選択し，選択されたコネクタを通して供給される画像データを上記再生手段に与えるコネクタ選択手段を含む第２の操作部，ならびに
上記第１の操作部および第２の操作部のいずれか一方における操作入力を有効とし，他方の操作入力を無効とし有効な操作部からの操作入力に応答して再生装置に操作入力により指令された動作を行わせる操作選択手段，
を備えた電子スチル・カメラのための再生装置。
【請求項４】
画像データを記憶する内部メモリと，画像データを記憶する外部メモリを内蔵したメモリ・カートリッジを接続するためのコネクタと，上記内部メモリおよび外部メモリのいずれから画像データを読出すかを選択するためのメモリ選択手段と，上記メモリ選択手段によって選択されたメモリから指定された画像データを読出して出力する画像データ読出手段とを備えている電子スチル・カメラを接続し，電子スチル・カメラのメモリから読出されて出力される画像データを受け入れる第１のコネクタ，
メモリ・カートリッジを接続し，メモリ・カートリッジ内のメモリから読出されて出力される画像データを受け入れる第２のコネクタ，
与えられる画像データを表示に適した映像信号に変換して出力する再生手段，ならびに
上記第１および第２のコネクタのいずれか一方を選択し，選択されたコネクタを通して供給される画像データを上記再生手段に与えるコネクタ選択手段，
を備えた電子スチル・カメラのための再生装置。
【請求項５】
上記再生手段から出力される映像信号が与えられる表示装置を接続するための第３のコネクタをさらに備えている，請求項４に記載の再生装置。
【請求項６】
上記電子スチル・カメラのメモリまたはメモリ・カートリッジのメモリから読出すべき画像データを指定するための画像指定手段をさらに備えている，請求項４に記載の再生装置。
【請求項７】
上記電子スチル・カメラの上記内部メモリおよび外部メモリのいずれから画像データを読出すべきかを指令する手段をさらに備えている請求項４に記載の再生装置。
【請求項８】
再生装置は上記コネクタ選択手段を含む第１の操作部を有し，上記電子スチル・カメラはその動作を指令するための第２の操作部を有し，
再生装置はさらに，上記第１の操作部および第２の操作部のいずれか一方における操作入力を有効とし，他方の操作入力を無効とし，有効な操作部からの操作入力に応答して再生装置に操作入力により指令された動作を行わせる操作選択手段を備えている，
請求項４に記載の再生装置。
【請求項９】
外部から映像信号の入力を受ける第４のコネクタ，および
この第４のコネクタから入力された映像信号を画像データに変換し，この画像データを上記第１または第２のコネクタを介して上記電子スチル・カメラまたはメモリ・カートリッジのメモリに格納する記録手段，
をさらに備えた請求項４に記載の再生装置。
【発明の詳細な説明】
【０００１】
【発明の背景】
【技術分野】
この発明は，被写体を撮像し，それにより得られる映像信号をディジタル画像データに変換し，着脱自在に装着されるメモリ・カートリッジにこの画像データを記録するディジタル電子スチル・カメラ（ディジタル・スチル・ビデオ・カメラ）によって撮像された画像データを再生して表示するための再生装置に関する。メモリ・カートリッジとは半導体メモリを内蔵したケース状またはカード状のものであって，メモリ・カードを含む。
【０００２】
【従来技術】
最近の電子スチル・カメラとして，特公昭６２−２１３１０  号公報に記載されたものが知られている。この電子スチル・カメラは，被写体像を表わす映像信号をディジタル化して電子スチル・カメラ本体に内蔵された内部メモリに画像データとして格納する。再生時には，上記画像データを内部メモリから読出し，コネクタを介して外部の再生装置に送出する。再生装置は，与えられる画像データを映像信号に変換して表示装置に供給するので，表示装置にスチル画像が表示される。
【０００３】
また，特開昭５９−１８３５８２号公報に記載された電子スチル・カメラでは，カメラ本体に着脱自在なメモリ・カートリッジに画像データが記録される。
【０００４】
上述した前者の電子スチル・カメラでは，別体のメモリ・カートリッジを携帯する必要がない点で便利であるが，内部メモリの記憶容量によって撮影可能な駒数が制限され，内部メモリの記憶容量によって定められる駒数以上の撮影を行うことができない。記憶容量の大きな内部メモリを用いるとカメラが高価となる。また，内部メモリの記憶容量にも限度があり，実用上必要な撮影駒数が確保できるとは限らない。
【０００５】
他方，後者の電子スチル・カメラでは，必要数のメモリ・カートリッジを用意することによって駒数の制限なく撮影できる利点がある。しかし，撮影する予定の駒数が少ない場合でも必ずメモリ・カートリッジを携帯しなければならない。また，メモリ・カートリッジが画像データで一杯になった後は，メモリ・カートリッジを差換えなければ撮影を行うことはできない。
【０００６】
さらに，前者の電子スチル・カメラの内部メモリから画像データを読出して再生するためには別体の再生装置を用意する必要がある。
【０００７】
後者の電子スチル・カメラによって撮影されかつメモリ・カートリッジに格納された画像データを読出して再生するためにも別体の再生装置を用意する必要がある。
【０００８】
しかしながら，前者の電子スチル・カメラのための再生装置と後者の電子スチル・カメラ（メモリ・カートリッジ）のための再生装置とはコネクタの形態が異なるので共用することができない。したがって，２種類の電子スチル・カメラを用いて撮影した場合には，再生装置も２種類必要となり，取扱いや収納スペース等の観点から不利，不便があった。また２種類の装置を購入するということは高価になり経済的にも不利である。
【０００９】
【発明の概要】
【００１０】
この発明は，カメラの内部メモリおよび外部メモリ（メモリ・カートリッジ）に格納された画像データの再生に共用できる再生装置を提供することを目的とする。
【００１１】
第１の発明による電子スチル・カメラのための再生装置は，画像データを記憶する内部メモリと，画像データを記憶する外部メモリを内蔵したメモリ・カートリッジを接続するためのコネクタと，上記内部メモリおよび外部メモリのいずれから画像データを読出すかを選択するためのメモリ選択手段と，上記メモリ選択手段によって選択されたメモリから指定された画像データを読出して出力する画像データ読出手段とを備えている電子スチル・カメラを接続し，電子スチル・カメラのメモリから読出されて出力される画像データを受け入れる第１のコネクタ，メモリ・カートリッジを接続し，メモリ・カートリッジ内のメモリから読出されて出力される画像データを受け入れる第２のコネクタ，与えられる画像データを表示に適した映像信号に変換して出力する再生手段，ならびに上記第１および第２のコネクタのいずれか一方を選択し，選択されたコネクタを通して供給される画像データを上記再生手段に与えるコネクタ選択手段を備えている。
【００１２】
好ましくは，上記再生手段から出力される映像信号が与えられる表示装置を接続するための第３のコネクタがさらに設けられる。
【００１３】
上記電子スチル・カメラのメモリまたはメモリ・カートリッジのメモリから読出すべき画像データを指定するための画像指定手段がさらに設けられる。
【００１４】
上記電子スチル・カメラは，画像データを記憶する内部メモリと，画像データを記憶する外部メモリを内蔵したメモリ・カートリッジを接続するためのコネクタと，上記内部メモリおよび外部メモリのいずれから画像データを読出すかを選択するためのメモリ選択手段と，上記メモリ選択手段によって選択されたメモリから指定された画像データを読出して出力する画像データ読出手段とからなる。
【００１５】
好ましくは，上記電子スチル・カメラの上記内部メモリおよび外部メモリのいずれから画像データを読出すべきかを指令する手段がさらに設けられる。
【００１６】
第１の発明の実施態様においては，再生装置は上記コネクタ選択手段を含む第１の操作部を有し，上記電子スチル・カメラはその動作を指令するための第２の操作部を有する。再生装置はさらに，上記第１の操作部および第２の操作部のいずれか一方における操作入力を有効とし，他方の操作入力を無効とし，有効な操作部からの操作入力に応答して再生装置に操作入力により指令された動作を行わせる操作選択手段を備える。
【００１７】
第１の発明の他の実施態様においては，外部から映像信号の入力を受ける第４のコネクタ，およびこの第４のコネクタから入力された映像信号を画像データに変換し，この画像データを上記第１または第２のコネクタを介して上記電子スチル・カメラまたはメモリ・カートリッジのメモリに格納する記録手段がさらに設けられる。
【００１８】
第１の発明によると，第１のコネクタには電子スチル・カメラを，第２のコネクタにはメモリ・カートリッジをそれぞれ接続しておき，コネクタ選択手段によって第１または第２のコネクタを再生手段に接続することにより，そのコネクタを介して読出された画像データを再生し，表示装置に表示することができる。再生すべき画像データが記録されている電子スチル・カメラまたはメモリ・カートリッジを，再生装置を用いて選択するという展開が可能となる。とくに第１の発明によると，内部メモリと，外部メモリを内蔵したメモリ・カートリッジを接続するためのコネクタと，内部メモリまたは外部めもりのいずれかを選択するためのメモリ選択手段とを備えている電子スチル・カメラを接続するための第１のコネクタが設けられている。したがって，再生すべき画像データが記録されている電子スチル・カメラまたはメモリ・カートリッジを選択するだけでなく，電子スチル・カメラの内部メモリまたは外部メモリのうち，再生すべき画像データが記録されているメモリを，再生装置を用いて選択し，いずれかのメモリに記録されている画像データを再生して表示するという展開が可能となる。
【００１９】
第１の発明の一実施態様によると，再生装置の第１の操作部または電子スチル・カメラの第２の操作部のいずれかを用いて，メモリの選択，再生等を操作することができる。
【００２０】
第１の発明の他の実施態様によると，第４のコネクタから入力されたＶＴＲ等からの映像信号を画像データに変換し，この画像データを第１または第２のコネクタを介して電子スチル・カメラまたはメモリ・カートリッジに格納することができるので，ビデオテープ等の記録内容を複製することも可能となる。
【００２１】
第２の発明による電子スチル・カメラのための再生装置は，第１の発明による再生装置において第１のコネクタに接続される電子スチル・カメラのメモリまたは第２のコネクタに接続されるメモリ・カートリッジのメモリから読み出すべき画像データを指定するための画像指定手段をさらに備えているものである。すなわち，第２の発明による再生装置は，電子スチル・カメラを接続し，電子スチル・カメラのメモリから読出されて出力される画像データを受け入れる第１のコネクタ，メモリ・カートリッジを接続し，メモリ・カートリッジ内のメモリから読出されて出力される画像データを受け入れる第２のコネクタ，与えられる画像データを表示に適した映像信号に変換して出力する再生手段，上記第１のコネクタに接続される電子スチル・カメラのメモリまたは上記第２のコネクタに接続されるメモリ・カートリッジのメモリから読出されるべき画像データを指定するための画像指定手段，ならびに上記第１および第２のコネクタのいずれか一方を選択し，選択されたコネクタを通して，上記画像指定手段によって指定された画像データを上記再生手段に与えるコネクタ選択手段を備えていることを特徴とする。
【００２２】
第２の発明によると，画像指定手段が再生装置自体に備えられているので再生装置を用いて，再生装置に接続される電子スチル・カメラのメモリまたはメモリ・カートリッジのメモリから読み出すべき画像データを指定することができる。
【００２３】
第２の発明の一実施態様によると，上記コネクタ選択手段によって選択された第１または第２のコネクタに，対応する電子スチル・カメラまたはメモリ・カートリッジが接続されていないときに警告する警告手段をさらに備える。
【００２４】
第３の発明による電子スチル・カメラのための再生装置は，第１の発明による再生装置において電子スチル・カメラに設けられている操作部と再生装置に設けられている操作部とのいずれか一方における操作入力を有効とし，他方の操作入力を無効とし，有効な操作部からの操作入力に応答して再生装置に操作入力により指令された動作を行わせるものである。すなわち，動作を指令するための第１の操作部を有する電子スチル・カメラを接続し，電子スチル・カメラのメモリから読み出されて出力される画像データを受け入れる第１のコネクタ，メモリ・カートリッジを接続し，メモリ・カートリッジ内のメモリから読み出されて出力される画像データを受け入れる第２のコネクタ，与えられる画像データを表示に適した映像信号に変換して出力する再生手段，上記第１および第２のコネクタのいずれか一方を選択し，選択されたコネクタを通して供給される画像データを上記再生手段に与えるコネクタ選択手段を含む第２の操作部，ならびに上記第１の操作部および第２の操作部のいずれか一方における操作入力を有効とし，他方の操作入力を無効とし有効な操作部からの操作入力に応答して再生装置に操作入力により指令された動作を行わせる操作選択手段を備えていることを特徴とする。
【００２５】
第３の発明によると，電子スチル・カメラに第１の操作部が設けられており，再生装置に第２の操作部が設けられている。一方の操作部における操作入力を有効とし，他方の操作部における操作入力を無効にして，電子スチル・カメラの操作部または再生装置の操作部のうち，有効な操作部からの操作入力により指令された動作を行わせることができるようになる。
【００２６】
【実施例】
第１実施例
この発明の第１実施例による電子スチル・カメラ１０は，図２に示すように，その前面に撮影レンズ８およびファインダ・レンズ９を備えている。電子スチル・カメラ１０の上面には，シャッタ・レリーズ・ボタン１１および液晶表示器１２が設けられている。液晶表示器１２の表示面は３つの表示セクション１２Ａ，１２Ｂおよび１２Ｃに分割されている。液晶表示器１２の隣には，メモリ選択スイッチ１３，メイン・スイッチ１４，順送りボタン１６，逆送りボタン１７および消去ボタン１８を含む操作部（図１に符号２０で示す）が配置されている。また，外部の再生装置３２（図１参照）を接続するコネクタ１９の収納凹所は，蓋２１をスライドすることにより開閉される。
【００２７】
メモリ選択スイッチ１３を指標２２の位置に設定すると，図１に示すようにカメラ１０に内蔵された内部ＲＡＭ２８が選択され，指標２３の位置ではメモリ・カートリッジ２９内の外部ＲＡＭ３１が選択され，選択されたＲＡＭに対する画像データの記録または読出しが可能となる。この実施例では，ＲＡＭ２８および３１の記憶容量はともに撮影駒数にして１２駒分とする。
【００２８】
メイン・スイッチ１４を指標２５の位置に設定すると，カメラ１０内の主要な電子回路の動作が停止し，内部ＲＡＭ２８内の記憶維持に必要な回路等の必要最少限の回路にのみ動作電力が供給され，電力消費量が最少となる。メイン・スイッチ１４を指標の位置２６に切換えると，画像再生モードとなり，指標２７の位置では画像記録モードとなる。
【００２９】
電子スチル・カメラ１０の側面には，メモリ・カートリッジ２９を挿入する開口３３があけられ，その内奥にはメモリ・カートリッジ２９を接続するためのコネクタ３４が設けられている。開口３３の隣には画像再生用の外部モニタ３６（図１参照）を接続するためのコネクタ３７が設けられている。
【００３０】
図１を参照して，シャッタ・レリーズ・ボタン１１が押されると，タイミング・ジェネレータ４０からクロック・パルスが発生する。このクロック・パルスに応答して撮影された被写体像を表わす映像信号がＣＣＤ３８から出力され，Ａ／Ｄ変換器３９でディジタル・データに変換されて信号処理回路４１に供給される。信号処理回路４１は，映像信号から各画素の色情報や輝度情報を分離するとともに，これらに，クロック・パルスとドット・クロック信号とに基づいて生成した各画素のアドレス情報を組み込んで画像データを形成する。画像データはインターフェース４２を介して，メモリ選択スイッチ１３の設定に応じて，内部ＲＡＭ２８または外部ＲＡＭ３１に格納される。
【００３１】
操作部２０における各種ボタン，スイッチの状態は，ＣＰＵ４４によって常に認識されており，メイン・スイッチ１４によって指標２７が選択されているときにシャッタ・レリーズ・ボタン１１が押されると，撮影された１駒分の画像データがインターフェース４２から内部ＲＡＭ２８または外部ＲＡＭ３１に振り分けられて転送される。メイン・スイッチ１４によって指標２５または指標２６が選択されているときには，たとえシャッタ・レリーズ・ボタン１１が押されても，これは無効化され，タイミング・ジェネレータ４０からクロック・パルスは発生しない。
【００３２】
コネクタ３４に接続されたカートリッジ検出回路４６は，メモリ・カートリッジ２９が装填されたことを検出してその検出信号をＣＰＵ４４に送出する。ＣＰＵ４４は，インターフェース４２を介してメモリ・カートリッジ２９内の外部ＲＡＭ３１の記憶エリアのヘッダ情報を読取り，このヘッダ情報に基づいてメモリ・カートリッジ２９の外部ＲＡＭ３１に記憶できる撮影可能駒数，外部ＲＡＭ３１内に既に格納された撮影済駒数を認識する。外部ＲＡＭ３１の記憶維持（バックアップ）に必要な電力はメモリ・カートリッジ２９に内蔵された電源回路４８内のバッテリィから供給される。
【００３３】
メモリ・カートリッジ２９が装填されていない場合の液晶表示器１２の表示内容の一例が図３（Ａ）  に示されている。表示例５３，５４および５５において，表示セクション１２Ａには内部ＲＡＭ２８の記憶容量に応じた撮影可能駒数「１２」が表示される。表示セクション１２Ｂには内部ＲＡＭ２８に既に格納されている撮影済駒数が表示され，この撮影済駒数は撮影ごとに「０」から「１」，「２」，…，「１２」とインクレメントされていく。
【００３４】
メモリ・カートリッジ２９が装填されると，液晶表示器１２の表示は図３（Ｂ）  に示すように切換わる。
【００３５】
表示例５７において表示セクション１２Ａ内の表示「ＣＡ    １２」は，メモリ・カートリッジ２９の撮影可能駒数が１２であることを示す。その下の数字「０」はメモリ・カートリッジ２９内に既に格納されている撮影済駒数が０であることを示す。
【００３６】
表示セクション１２Ｂ内の表示「ＩＮ    １２」は，内部ＲＡＭ２８の撮影可能駒数が１２であることを示し，その下の数字「０」は内部ＲＡＭ２８内に格納された撮影済駒数が０であることを示す。この「０」の左隣の「右向きの三角形のマーク」はこの状態でシャッタ・レリーズ・ボタン１１が押されると，撮影された被写体像を表わす第１駒目の画像データが内部ＲＡＭ２８内に記録されることを意味する。このままで撮影を続行すると表示は表示例５８，５９のように変化する。
【００３７】
表示例５７の表示が行われているときに，メモリ選択スイッチ１３を指標２３の位置に切換えると，図３（Ｃ）  の表示例６１に示すように，「右向きの三角形のマーク」が表示セクション１２Ａに移動する。この表示例６１は，シャッタ・レリーズ・ボタン１１を押して撮影を行うと，撮影された第１駒目の画像データがメモリ・カートリッジ２９内の外部ＲＡＭ３１に格納されることを示す。撮影が継続されると，表示例６２を経て表示例６３に示されるように撮影済駒数が変化していく。外部ＲＡＭ３１に記録された撮影済駒数がその撮影可能駒数１２に到達すると，メモリ選択スイッチ１３を切換えなくても，「右向き三角形のマーク」は（容量に余裕のある）内部ＲＡＭ２８に対応した表示セクション１２Ｂに移動する（表示例６３）。途中でメモリ選択スイッチ１３を指標２２の位置に切換えると，表示例６４に示すように，外部ＲＡＭ３１の容量に余裕を残して内部ＲＡＭ２８に撮影した画像データを記録することができる。
【００３８】
ＲＡＭ２８または３１に格納された各駒の画像データには，ＣＰＵ４４によって撮影順序にしたがう駒番号が割当てられる。また，表示セクション１２Ｃには，電源回路４７内のバッテリィの残存エネルギーが乏しいこと等が表示される。
【００３９】
上述したメモリ選択スイッチ１３の操作に関連する液晶表示器１２の表示は画像再生モードにおいても同様に行われる。再生モードにおいては，「ＣＡ    １２」や「ＩＮ    １２」の下の数字は，その時点でモニタ表示装置３６または５１に表示されている画像の外部ＲＡＭ３１または内部ＲＡＭ２８内における駒番号を示す。「右向き三角形のマーク」が表示セクション１２Ａおよび１２Ｂのどちらに表示されているかによって，その時にモニタに表示されている画像が内部ＲＡＭ２８から読出されたものであるのか，外部ＲＡＭ３１内から読出されたものであるのかが表わされる。
【００４０】
順送りボタン１６が押されるたびに駒番号がインクレメントされ，その駒番号の画像データが内部ＲＡＭ２８または外部ＲＡＭ３１から読出されてモニタに表示される。逆送りボタン１７が押されると駒番号が順次デクレメントされていく。順送りボタン１６または逆送りボタン１７を押した状態に維持すると，それぞれの送り方向に早送りされて次々に新たな駒の画像がモニタ表示される。
【００４１】
再生モードにおいて，消去ボタン１８を押しながらシャッタ・レリーズ・ボタン１１を押すと，そのときにモニタに映し出されている駒の画像データがＲＡＭ２８または３１から消去される。
【００４２】
メイン・スイッチ１４が指標２６の位置に設定されると上述したように画像再生モードとなり，内部ＲＡＭ２８または外部ＲＡＭ３１内の画像データがインターフェース４２を介して読出され，再生回路４９およびコネクタ１９に送出される。再生回路４９は，内部ＲＡＭ２８または外部ＲＡＭ３１から読出された画像データをＤ／Ａ変換して，アドレス情報から形成した水平および垂直同期信号を含む複合映像信号を作り出す。この映像信号はコネクタ３７に接続された外部モニタ表示装置３６に与えられ，上記映像信号によって表わされる再生画像が映し出される。コネクタ１９に接続される外部の再生装置３２は，再生回路４９と同様な処理の他，モニタ表示装置５１に映し出される画像の色合いを変えたりカラー画像から白黒画像へ変換したりする処理を行うことができる。
【００４３】
次に第１実施例の作用について説明する。
【００４４】
撮影しようとする駒数が１２駒以下であることが予想される場合には，メモリ・カートリッジ２９を持たずに電子スチル・カメラ１０のみを携帯すればよい。
【００４５】
撮影時には，先ずメイン・スイッチ１４を指標２５から指標２７の位置に切換える。これにより図３（Ａ）  の表示例５３に示すように，液晶表示器１２の表示セクション１２Ａには「１２」が，表示セクション１２Ｂには「０」がそれぞれ表示され，内部ＲＡＭ２８の撮影可能駒数が１２であり，撮影済の駒数が０であることが示される。シャッタ・レリーズ・ボタン１１を押して第１駒目の撮影を行うと，駒番号１の画像データが内部ＲＡＭ２８内に格納され，表示セクション１２Ｂ内の数字は「１」に変わる。シャッタ・レリーズ・ボタン１１を押すたびに表示セクション１２Ｂ内の数字は累進していく。この数が表示セクション１２Ａ内の数「１２」に達すると，内部ＲＡＭ２８の撮影可能駒数と撮影済駒数が一致したことになるので，もはや撮影の続行が不可能となる。撮影が終了すればメイン・スイッチ１４を指標２５の位置に切換えて電源の消耗を防ぐ。
【００４６】
メイン・スイッチ１４を指標２６の位置に切換えると，回路は再生モードとなり，液晶表示器１２の表示は図３（Ａ）  に示す表示例５３のようになる。モニタ表示装置３６をコネクタ３７に接続するとモニタ表示装置３６の画面には白が表示される。順送りボタン１６を１回押すと，表示セクション１２Ｂが「１」を表示し，モニタ表示装置３６は撮影された１２駒の内駒番号１の画像を映し出す。この後，順送りボタン１６または逆送りボタン１７を押すことにより，次々と異なる駒番号の画像がモニタ表示装置３６に表示されるとともに，その画像の駒番号が表示セクション１２Ｂ内に表示される。表示したい画像の駒番号が分かっている場合には，順送りボタン１６または逆送りボタン１７を操作して，その駒番号を表示セクション１２Ｂ内に表示させることにより，駒番号のみに基づいて希望する画像を検索できる。また，コネクタ１９に再生装置３２を接続することにより，他のモニタ表示装置５１にもモニタ表示装置３６と同じ駒番号の画像を，異なる表示形態で映し出すことができる。
【００４７】
撮影する駒数が多い場合や不明な場合には，電子スチル・カメラ１０とともに必要枚数のメモリ・カートリッジ２９を携帯する。撮影のために，メイン・スイッチ１４を指標２５から指標２７の位置に切換えて画像記録モードとする。このとき液晶表示器１２には表示例５３のようなものが表示される。
【００４８】
メモリ・カートリッジ２９を開口３３から装填してコネクタ３４に接続すると，カートリッジ検出回路４６が検出信号を出力する。メモリ選択スイッチ１３を指標２２の位置に設定することにより，液晶表示器１２の表示は図３（Ｂ）  の表示例５７に変わる。
【００４９】
シャッタ・レリーズ・ボタン１１を押すと，撮影された第１駒目の画像データが内部ＲＡＭ２８内に格納され，表示セクション１２Ｂの「ＩＮ    １２」の下の数字が「１」に変わる（表示例５８）。撮影を続けると「ＩＮ    １２」の下の数字が累進していく。第１２駒目の撮影を終えたところで，「ＩＮ    １２」の下の数字が「１２」になり内部ＲＡＭ２８の撮影可能駒数と等しくなる。このとき表示例５９に示すように，「右向き三角形のマーク」は表示セクション１２Ａに移動し，次回に撮影される第１３駒目からはメモリ・カートリッジ２９内の外部ＲＡＭ３１に記録されることを示す。
【００５０】
メモリ・カートリッジ２９が装填されている状態でメモリ選択スイッチ１３を指標２２から指標２３の位置に切換えると，図３（Ｃ）  の表示例６１に示すように，「右向き三角形のマーク」が表示セクション１２Ｂから表示セクション１２Ａに移動する。この状態では，シャッタ・レリーズ・ボタン１１を押すたびに，各駒の画像データは外部ＲＡＭ３１内に格納されていき，「ＣＡ    １２」の下の数字が累進していく。第１２駒目の撮影が終了すると，撮影済駒数は外部ＲＡＭ３１の撮影可能駒数に到達するので，「右向き三角形のマーク」は表示セクション１２Ａから表示セクション１２Ｂに移動し，次回に撮影される第１３駒目からは内部ＲＡＭ２８に記録されることを表示する。
【００５１】
内部ＲＡＭ２８に記録したくなければ，メモリ・カートリッジ２９を未使用のものと交換することにより，内部ＲＡＭ２８を未使用状態のまま撮影を継続し，撮影した画像データを新たに装填したメモリ・カートリッジ２９に格納していくことができる。新たなメモリ・カートリッジ２９を装填すると液晶表示器１２の表示は図３（Ｃ）  の表示例６１のようになる。
【００５２】
メモリ選択スイッチ１３を指標２３の位置に設定したままで撮影を継続し，たとえば第５駒目を撮影した時点でメモリ選択スイッチ１３を指標２２の位置に切換えると，液晶表示器１２の表示は表示例６４のように変わる。この後，シャッタ・レリーズ・ボタン１１を押すことにより，第６駒目の画像データを内部ＲＡＭ２８内に駒番号１の画像データとして記録することができる。
【００５３】
メモリ・カートリッジ２９を装填した状態でメイン・スイッチ１４を指標２６の位置に，メモリ選択スイッチ１３を指標２２の位置にそれぞれ設定すると，液晶表示器１２は表示例５７のようになる。表示例５７では，「右向き三角形のマーク」は表示セクション１２Ｂ内に存在し，これから内部ＲＡＭ２８内に格納された画像データの再生が行われることを示す。順送りボタン１６を押すことにより，内部ＲＡＭ２８内に格納された駒番号１の画像データにより表わされる画像が表示される。この後，順送りボタン１６または逆送りボタン１７を操作して，モニタ表示装置３６に表示する画像を選択することができる。
【００５４】
メモリ選択スイッチ１３を切換えることにより外部ＲＡＭ３１を選択すると，「右向き三角形のマーク」は表示セクション１２Ａ内に移動し，外部ＲＡＭ３１に記録された画像を再生することができる。
【００５５】
残す必要のない一駒分の画像データのみを消去する場合には，メイン・スイッチ１４を指標２６の位置に設定して再生モードとし，順送りボタン１６または逆送りボタン１７を操作して消去する駒の画像をモニタ表示する。この状態で消去ボタン１８を押しながらシャッタ・レリーズ・ボタン１１を押すと，その駒の画像データが消去され，当該駒番号に対応する画像データがＲＡＭ内で空白となる。したがって，次回の撮影時には当該駒番号の記録位置に新たな画像データを記録することができる。
【００５６】
消去する画像の駒番号が明白な場合には，モニタ表示することなく液晶表示器１２の表示を観察しながら，その駒番号を選択して消去することができる。
【００５７】
上記実施例ではメモリ選択スイッチ１４によって画像データを記録するＲＡＭを選択できるようになっているが，第１駒目から第１２駒目までの画像データは必ず内部ＲＡＭ２８に記録し，内部ＲＡＭ２８の撮影可能駒数を越えた第１３駒以降の画像を，メモリ・カートリッジ２９内の外部ＲＡＭ３１に記録するようにしてもよい。これにより，一層簡略な操作でこの発明の目的を達成することができる。
【００５８】
後述する第３実施例に示すように，セレクタと，コピーまたは転送の指令スイッチとを設け，このスイッチによってコピーまたは転送が指令されたときには，内部ＲＡＭ２８に格納されている画像データをセレクタを通してメモリ・カートリッジ２９の外部ＲＡＭ３１に転送して記憶させる，またはこの逆の転送，記憶を行わせるようにすることもできる。この場合に，転送すべき画像データの駒番号の指定も可能とすることが好ましい。
【００５９】
第２実施例
この発明の第２実施例による電子スチル・カメラのための再生装置１１０  は，図５に示すように，その前面にメモリ・カートリッジ１１２  を挿脱するための開口１１３  があけられている。メモリ・カートリッジ１１２  は画像データを格納する外部ＲＡＭ１１４  を内蔵している。開口１１３  の右隣にはコネクタ１１６  および１１７  が配設されている。コネクタ１１６  は再生モードにおける画像データ入力端子であり，コネクタ１１７  は記録モードにおける映像信号入力端子である。
【００６０】
電子スチル・カメラ１０は上述した第１実施例に示すものと同じであり，図１および図２に示すものと同一物には同一符号を付し説明を省略する。電子スチル・カメラ１０には画像データ入出用のコネクタ３７Ａが設けられている。このコネクタ３７Ａとコネクタ１１６  がケーブル１１８  によって接続されることにより，電子スチル・カメラ１０と再生装置１１０  とが相互に接続されている。電子スチル・カメラ１０に挿脱されるメモリ・カートリッジ２９と再生装置１１０  に挿脱されるメモリ・カートリッジ１１２  とは同じものである。すなわち，メモリ・カートリッジ１１２  を電子スチル・カメラ１０で使用することもできるし，メモリ・カートリッジ２９を再生装置１１０  で使用することもできる。
【００６１】
電子スチル・カメラ１０と再生装置１１０  とをケーブル１１８  で接続し，かつ電子スチル・カメラ１０を記録モードとし，この状態でシャッタ・レリーズ・ボタン１１を押すと，通常の撮影は行われずケーブル１１８  を介して再生装置から入力される画像データが内部ＲＡＭ２８または外部ＲＡＭ３１に格納される。
【００６２】
再生装置１１０  の右側面には映像信号出力用のコネクタ１３２  が設けられている。コネクタ１３２  に接続されたモニタ表示装置１３５  は，再生装置１１０  から出力される映像信号によって表わされる画像を表示する。
【００６３】
再生装置１１０  の上面には，メイン・スイッチ１３３  ，コネクタ選択スイッチ１３４  ，操作選択スイッチ１３６  ，順送りボタン１３７  ，逆送りボタン１３８  ，および記録ボタン１３１  からなる操作部１３９  （図４参照）と，警告ランプ１４１  が設けられている。
【００６４】
図４も参照して，メイン・スイッチ１３３  を指標１４２  ，１４３  または１４４  の位置に設定することにより，再生装置１１０  内の電子回路は，それぞれオフ状態，再生モード，または記録モードになる。
【００６５】
コネクタ選択スイッチ１３４  を指標１４６  の位置に設定すると，コネクタ１１６  が選択され，コネクタ１１６  を介して画像データが取り入れられる。スイッチ１３４  を指標１４７  の位置に設定するとコネクタ１４８  が選択され，ここから画像データが取り入れられる。コネクタ１４８  には，開口１１３  に装填されたメモリ・カートリッジ１１２  が接続される。電子スチル・カメラ１０またはメモリ・カートリッジ１１２  のコネクタ１１６  または１４８  への接続の有無はＣＰＵ１５２  によって検知される。選択されたコネクタ１１６  または１４８  にそれぞれ電子スチル・カメラ１０またはメモリ・カートリッジ１１２  が接続されていない場合には，ＣＰＵ１５２  から出力される警告信号によって警告ランプ１４１  が点灯し，その旨が警告される。
【００６６】
操作選択スイッチ１３６  は，コネクタ１１６  に電子スチル・カメラ１０が接続されている場合に，電子スチル・カメラ１０における操作部２０の操作と操作部１３９  の操作のいずれか一方を有効にするためのものである。指標１４９  の位置では再生装置１１０  における操作が有効となり電子スチル・カメラ１０における操作が無効となる。指標１５０  の位置では電子スチル・カメラ１０における操作が有効となり，操作部１３９  の操作が無効となる。
【００６７】
すなわち，電子スチル・カメラ１０のＣＰＵ４４と再生装置１１０  のＣＰＵ１５２  はケーブル１１８  を介して相互に接続されており，これらのＣＰＵ４４および１５２  がそれぞれ読取った操作部２０および１３９  からの入力信号の状態を相互に通知する。したがって，操作選択スイッチ１３６  の設定に応じて，電子スチル・カメラ１０の操作部２０から再生装置１１０  を制御することも，逆に再生装置１１０  の操作部１３９  から電子スチル・カメラ１０を制御することも可能となる。
【００６８】
メイン・スイッチ１３３  を指標１４３  の位置に設定した状態で，順送りボタン１３７  を押すと電子スチル・カメラ１０の内部ＲＡＭ２８またはメモリ・カートリッジ１１２  の外部ＲＡＭ１１４  内に格納されている画像データのうち１つインクレメントされた駒番号をもつ画像データが読出されて再生される。逆に逆送りボタン１３８  を押すと，１つデクレメントされた駒番号の画像データが再生される。ボタン１３７  または１３８  を押し続けることにより，それぞれ順方向または逆方向に再生されるべき画像が順次駒送りされる。
【００６９】
電子スチル・カメラ１０およびメモリ・カートリッジ１１２  がそれぞれコネクタ１１６  および１４８  に接続されると，それをＣＰＵ１５２  が検知する。ＣＰＵ１５２  はコネクタ１１６  または１４８  を介して電子スチル・カメラ１０またはメモリ・カートリッジ１１２  内の回路を制御して必要な画像データの読出しやＲＡＭの選択等を行う。コネクタ１１６  または１４８  を介して供給された画像データはセレクタ１５３  においてＣＰＵ１５２  の制御によって選択され，選択された画像データはセレクタ１５４  を介して再生回路１５６  に供給される。
【００７０】
パルス発生回路１６６  は記録ボタン１３１  が押されるとタイミング・パルスを記録回路５７に与える。このタイミング・パルスは１画像分の映像信号だけを記録回路１５７  に処理させるためのタイミングを規定する。
【００７１】
再生回路１５６  は，画像データのもつ各種情報をＤ／Ａ変換して，アドレス情報から形成した水平および垂直同期信号を含む複合映像信号を作り出す。この映像信号はコネクタ１３２  を介してモニタ表示装置１３５  に供給され，映像信号によって表わされる画像がモニタ画面に映し出される。
【００７２】
記録回路１５７  は，再生回路１５６  と逆に，コネクタ１１７  を介してＶＴＲ（ビデオ・テープ・レコーダ）１５８  から取り入れた複合映像信号を１画像単位でＡ／Ｄ変換して各種情報に分離し，画像データを形成する。この画像データは，セレクタ１５４  およびセレクタ１５３  を経て電子スチル・カメラ１０の内部ＲＡＭ２８またはメモリ・カートリッジ１１２  の外部ＲＡＭ１１４  に格納される。
【００７３】
コネクタ１１７  に接続されたＶＴＲ１５８  の再生スイッチ  １５８Ｂを押して画像再生モードとすると，ビデオテープ１６５  に記録された動画が再生されてモニタ表示装置１６４  の画面に映し出される。ＶＴＲ１５８  の映像信号出力端子  １５８Ａからは，映し出されている動画を表わす映像信号が出力されコネクタ１１７  に供給される。動画は１画像（走査時間：１／６０秒）の静止画が多数集まって構成されており，記録回路１５７  にはコネクタ１１７  を介して各静止画を表わす映像信号が連続的に供給される。
【００７４】
通常，記録回路１５７  は供給された映像信号を処理しない。記録ボタン１３１  が押されることによりパルス発生回路１６６  がタイミング・パルスを出力すると，記録処理の開始のために記録回路１５７  は信号待機状態となる。この状態になって最初に供給された映像信号の垂直同期信号を検出することにより記録回路１５７  は映像信号の処理を開始し，次の垂直同期信号を検出することにより処理を停止する。これによって，１画像分の映像信号のみがディジタル画像データに変換される。これら記録ボタン１３１  の押下等の操作部１３９  における操作状況は常にＣＰＵ１５２  によってスキャニングされている。
【００７５】
ＶＴＲ１５８  には一時停止スイッチ  １５８Ｃが設けられている。このスイッチ１５８  Ｃを押すことによりＶＴＲ１５８  内のフレーム・メモリに記憶された所望の１画像をモニタ画面にスチル表示させ，その画像を表わす映像信号の出力を繰返し継続させることができる。一時停止中に記録ボタン１３１  を押すことによってスチル表示中の画像のデータを再生装置１１０  において確実に記録複製することができる。
【００７６】
上記の構成をもつ第２実施例の作用について次に説明する。
【００７７】
再生においては，内部ＲＡＭ２８および外部ＲＡＭ３１内に画像データを格納した電子スチル・カメラ１０のコネクタ３７Ａと，再生装置１１０  のコネクタ１１６  とがケーブル１１８  で接続される。またメモリ・カートリッジ１１２  が開口１１３  から装填されコネクタ１４８  に接続される。さらにモニタ表示装置１３５  がコネクタ１３２  に接続される。操作選択スイッチ１３６  が指標１４９  の位置に設定されることにより操作部１３９  の操作が有効化される。この後，メイン・スイッチ１３３  が指標１４２  から指標１４３  の位置に切換えられることによってセレクタ１５４  が再生回路１５６  側を選択し，再生装置１１０  の電子回路は再生モードとなる。
【００７８】
コネクタ選択スイッチ１３４  が指標１４６  の位置に設定された場合には，セレクタ１５３  がコネクタ１１６  側を選択し電子スチル・カメラ１０から出力される画像データが取り入れられる。この画像データはセレクタ１５３  および１５４  を経て再生回路１５６  に供給され，ここで表示に適したアナログ映像信号に変換される。コネクタ１３２  を介して映像信号の供給を受けたモニタ表示装置１３５  は，映像信号によって表わされる静止画像をモニタ画面に映し出す。電子スチル・カメラ１０の液晶表示器１２には，モニタ表示中の画像の駒番号が表示される。
【００７９】
モニタ表示される画像を観察しながら，順送りボタン１３７  または逆送りボタン１３８  を操作することによって，モニタ表示されている画像を内部ＲＡＭ２８または外部ＲＡＭ３１内から選択することができる。順送りボタン１３７  を押し続けると，内部ＲＡＭ２８内において駒番号１の画像を最初に次々と駒番号が増大する新たな画像がモニタ表示される。内部ＲＡＭ２８の最後の駒番号の画像の次には，外部ＲＡＭ３１内の画像が駒番号１のものから順次モニタ表示されていく。逆送りボタン１３８  を押すことにより，駒番号が小さくなる方向に順次画像をモニタ表示することができる。
【００８０】
コネクタ選択スイッチ１３４  が指標１４７  の位置に設定された場合には，セレクタ１５３  はメモリ・カートリッジ１１２  側を選択する。メモリ・カートリッジ１１２  内の外部ＲＡＭ１１４  から画像データが取り入れられる。上記と同様にしてメモリ・カートリッジ１１２  に記録されていた画像データによって表わされる画像がモニタ表示装置３５に映し出される。
【００８１】
また，電子スチル・カメラ１０またはメモリ・カートリッジ１１２  のいずれか一方のみをコネクタ１１６  または１１４  に接続した場合には，接続されているコネクタをコネクタ選択スイッチ１３４  によって選択することにより，そのコネクタから取り入れられる画像データを再生することができる。しかし，接続されたコネクタが選択されない場合，たとえばメモリ・カートリッジ１１２  をコネクタ１４８  に接続し電子スチル・カメラ１０をコネクタ１１６  に接続しない状態で，コネクタ選択スイッチ１３４  を指標１４６  の位置に設定すると，ＣＰＵ１５２  は警告ランプ１４１  を点灯して，選択通りの再生が不可能であることを知らせる。
【００８２】
記録においては，コネクタ１１７  にＶＴＲ１５８  の映像信号出力端子  １５８Ａが接続され，メイン・スイッチ１３３  が指標１４４  の位置に設定される。これによりＣＰＵ１５２  からの指令に応じてセレクタ１５４  が記録回路１５７  側を選択し，再生装置１１０  の電子回路は記録モードとなる。
【００８３】
コネクタ選択スイッチ１３４  によってコネクタ１１６  または１４８  が選択される。ＶＴＲ１５８  は再生スイッチ  １５８Ｂが押されると画像再生状態となる。この画像再生状態で一時停止スイッチ  １５８Ｃが押されると，そのときの画像がモニタ表示装置１６４  の画面にスチル表示される。モニタ表示されている静止画像の映像信号は映像信号出力端子  １５８Ａおよびコネクタ１１７  を介して継続的に記録回路１５７  に供給される。
【００８４】
所望の１画像分の映像信号が継続的に記録回路１５７  に供給されている状態において，記録ボタン１３１  が押されると，パルス発生回路１６６  が記録回路１５７  にタイミング・パルスを供給する。タイミング・パルスの供給を受けた記録回路１５７  は，垂直同期信号を検出することにより当該映像信号を画像データに変換する処理を開始する。この処理は次の垂直同期信号を検出することによって停止される。これによって得られた１画像分の画像データはセレクタ１５４  を経てセレクタ１５３  によって選択されたコネクタ１１６  または１４８  に供給され，内部ＲＡＭ２８（もしくは外部ＲＡＭ３１）または外部ＲＡＭ１１４  に格納される。記録モードにおける警告ランプ１４１  の動作は再生モードにおける動作と同様である。
【００８５】
操作選択スイッチ１３６  が指標１５０  の位置に設定された場合には，セレクタ１５３  はコネクタ１１６  側を選択する。操作選択スイッチ１３６  を除く操作部１３９  における操作は無効化され，電子スチル・カメラ１０における操作が有効となる。
【００８６】
電子スチル・カメラ１０のメイン・スイッチ１４を指標２６の位置に設定すると，これに従ってＣＰＵ１５２  はセレクタ１５４  に再生回路１５６  を選択させ，再生装置１１０  の電子回路を再生モードとする。ここでメモリ選択スイッチ１３を操作することにより内部ＲＡＭ２８または外部ＲＡＭ３１のいずれかが選定され，順送りボタン１６または逆送りボタン１７を操作することにより駒番号が選択される。このようにして選択された駒番号の画像データがＲＡＭ２８または３１から読出され，モニタ表示装置１３５  にスチル表示される。
【００８７】
メイン・スイッチ１４を指標２７の位置に設定することにより，セレクタ１５４  は記録回路１５７  側を選択し，再生装置１１０  の電子回路は記録モードとなる。この状態でＶＴＲ１５８  を操作してモニタ表示装置１６４  上に所望の画像をスチル表示させると，映像信号出力端子１５８  Ａからその静止画像の映像信号の出力が継続される。シャッタ・レリーズ・ボタン１１を押すことによりパルス発生回路１６６  から記録回路１５７  にタイミング・パルスが供給され，記録回路１５７  は入力する映像信号を画像データに変換する。この画像データはセレクタ１５４  および１５３  を介して電子スチル・カメラ１０に供給され，メモリ選択スイッチ１３の設定に応じて内部ＲＡＭ２８または外部ＲＡＭ３１内に記録される。
【００８８】
操作選択スイッチ１３６  を指標１４９  の位置に切換えることによって，操作部１３９  における操作を有効化するとともに電子スチル・カメラ１０の操作部２０における操作を無効化することができる。
【００８９】
上記実施例では再生装置１１０  の電子回路内に記録回路１５７  が設けられているが，これを省略して図６に示すような再生処理のみを行う再生装置１８０  としてもよい。
【００９０】
第３実施例
図７はこの発明の第３実施例によるディジタル電子スチル・カメラの構成を示している。上述した第１および第２実施例においては特に明示的には言及されていないが，画像データは，一般的には，データ圧縮処理されてメモリ・カートリッジの外部メモリまたは電子スチル・カメラの内部メモリに格納される。これは画像データはきわめて容量が大きく，圧縮処理をしないと多数の駒数の画像データを半導体メモリに格納できないからである。これらのメモリに格納されている画像データが再生されるときには，その圧縮画像データは伸張処理される。
【００９１】
画像データは一般には輝度データＹおよび色データＣｒ  ，Ｃｂ  とから構成される。これらの画像データＹ，Ｃｒ  ，Ｃｂ  のそれぞれについて別個に圧縮，伸張処理が施される。
【００９２】
画像データの圧縮にはこの実施例では２次元直交変換符号化法が用いられている。画像データＹ，Ｃｒ  ，Ｃｂ  のそれぞれについての圧縮処理は全く同じであるから（圧縮処理において用いられるパラメータの値は当然異なるが），一種類の画像データ，たとえば輝度データＹについてのみ説明する。
【００９３】
画像データは複数のブロックに分割される。たとえば１ブロックは８ドット×８ドットから構成される。各ブロックの画像データが２次元直交変換（たとえば２次元ディスクリート・コサイン変換＝ＤＣＴ）される。直交変換されたデータは所定の正規化係数を用いて正規化され（データが正規化係数を用いて除算される），かつこの正規化係数よりも小さい値のデータは切捨てられて０となる（量子化処理）。量子化されたデータはハフマン符号化される。
【００９４】
圧縮画像データの伸張処理は上記の逆の手順で行われる。すなわち，圧縮画像データはまず復号され，続いて２次元直交逆変換される。そして最後に，ブロックごとの伸張された画像データが一画面を構成するようにメモリ上で合成（配列）される。
【００９５】
図７に示すディジタル電子スチル・カメラ２００  において，記録モードの場合には，撮像光学系２０１  を通してＣＣＤ等の固体電子撮像素子２０２  上に結像した被写体像は，シャッタ・レリーズ・ボタン（図示略）の押下タイミングで電気信号に変換され，ＣＣＤ２０２  から出力される。ＣＣＤ２０２  から出力される被写体像を表わす映像信号は前処理回路２０３  において，増幅，ホワイト・バランス調整等の前処理が施され，続いてＡ／Ｄ変換回路２０４  においてディジタル画像データに変換され，メモリ・コントローラ２０５  を介して一旦フレーム・メモリ２０７  に記憶される。図７においては，ＣＣＤ２０２  からの読出し等のタイミングを制御する回路の図示は省略されている。
【００９６】
フレーム・メモリ２０７  に一旦記憶された画像データはメモリ・コントローラ２０５  の制御の下に順次走査の順序で読出され，必要ならばフィールド／フレーム変換されたのち，輝度信号／色信号（Ｙ／Ｃ）処理回路２０６  に入力する。輝度信号／色信号処理回路２０６  は入力する画像データから輝度（Ｙ）データおよび色（Ｃ＝Ｃｒ  ＋Ｃｂ  ）データを生成する。これらの輝度データおよび色データは再びフレーム・メモリ２０７  に与えられて記憶される。
【００９７】
この後，フレーム・メモリ２０７  から再度画像データが読出されＤＣＴ／逆ＤＣＴ変換回路２０９  に与えられる。ＤＣＴ／逆ＤＣＴ変換回路２０９  は画像データを上述したＤＣＴ変換により圧縮，逆ＤＣＴ変換により伸張する回路である。ＤＣＴ変換されることにより，１駒分の画像データ量が少なくなるので，メモリ・カード２３０  の内部メモリ２３１  またはカメラの内部メモリ２１３  に記録できる駒数が増加する。圧縮された画像データは再びフレーム・メモリ２０７  に与えられて記録される。
【００９８】
続いて，フレーム・メモリ２０７  から圧縮された画像データが読出され符号化／復号化回路２０８  に与えられる。圧縮画像データはこの回路２０８  で符号化されながらカード・インターフェース２１１  を介して，セレクタ２１２  の選択に応じてメモリ・カード２３０  の外部メモリ２３１  または電子スチル・カメラ２００  の内部メモリ２１３  に記憶される。セレクタ２１２  は後述するようにシステム・コントローラ２１０  によって制御される。
【００９９】
上述した第１および第２実施例と同じように，電子スチル・カメラ２００  はメモリ・カード２３０  を着脱自在に接続するためのコネクタ２１６  を有している。メモリ・カード２３０  がこのコネクタ２１６  を介して接続されると，カメラ２００  のシステム・コントローラ２１０  によってメモリ・カード２３０  内の外部メモリ２３１  のアクセスが可能となる。
【０１００】
ディジタル電子スチル・カメラ２００  は内部メモリ２１３  を備えている。この内部メモリ２１３  も外部メモリ２３１  と同じように半導体メモリにより構成され，できるだけ記憶容量の大きいものが好ましい。内部メモリ２１３  はスタティックＲＡＭであってもよいし，高密度，高速化を図るためにダイナミックＲＡＭを使用してもよい。ダイナミックＲＡＭを使用する場合にはリフレッシュ回路２１４  が必要となろう。
【０１０１】
再生モードにおいては，外部メモリ２３１  または内部メモリ２１３  に記憶されていた圧縮画像データのうち指定された駒番号のものが，これらのメモリから読出され，再生処理ののち，ビューファインダ（たとえば液晶表示装置から構成される）２１８  に表示されるか，またはコネクタ２１７  を介して外部の表示装置に与えられる。コネクタ２１７  は外部表示装置を接続するためのものである。
【０１０２】
すなわち，メモリ２３１  または２１３  から読出された圧縮画像データはセレクタ２１２  ，インターフェース２１１  を介して符号化／復号化回路２０８  に与えられ，復号化されてフレーム・メモリ２０７  に記憶される。その後，画像データはフレーム・メモリ２０７  から読出されてＤＣＴ／逆ＤＣＴ変換回路２０９  に与えられ，逆ＤＣＴ変換が行われる。そして再びフレーム・メモリ２０７  に一旦記憶された後，再度フレーム・メモリ２０７  から読出されて再生処理回路２１５  に与えられる。再生処理回路２１５  は入力するディジタル画像データをアナログ映像信号に変換するとともに表示に適した信号に変換処理をして出力する。このアナログ映像信号はビューファインダ２１８  に与えられて画像が表示されるか，またはコネクタ２１７  を介して外部表示装置（図示略）に与えられて画像が表示される。アナログ映像信号の出力について，コネクタ２１７  またはビューファインダ２１８  を切換える切換スイッチを設けることができるのはいうまでもない。もちろん，映像信号をコネクタ２１７  とビューファインダ２１８  の両方に同時に与えてもよい。
【０１０３】
システム・コントローラ２１０  は上述した画像データの圧縮，伸張のためのメモリ・コントローラ２０５  の制御，セレクタ２１２  の切換制御，記録モード／再生モードの切換制御，メモリ２１３  ，２３１  のアクセスおよび駒番号の指定等の制御，後述する表示部２２１  ，２２２  の制御等を行う。
【０１０４】
図８は表示部２２１  の表示例を示している。表示部２２１  には，選択されているモードを表示するセクション２２３  ，内部メモリ２１３  に関する情報を表示するセクション２２４  ，外部メモリ２３１  に関する情報を表示するセクション２２５  ，および画像データの転送方向等を表示するセクション２２６  が設けられている。セクション２２３  には選択されているモードを表わす文字が表示される（図８ではすべてのモードの文字が描かれているが）。
【０１０５】
図９は操作部２２２  の一部を示している。操作部２２２  には，モード選択ボタン２３３  ，セレクト・ボタン２３４  ，確定ボタン２３５  ，シャッタ・レリーズ・ボタン２３６  ，および逆，順送りのためのＤＯＷＮ，ＵＰボタン２３７  ，２３８  が設けられている。
【０１０６】
この電子スチル・カメラ２００  は次のモードをもつ。
【０１０７】
記録モード（ＲＥＣ）
被写体を撮影し，撮影により得られた１駒分の画像データを内部メモリ２１３  または外部メモリ２３１  に記録する。
再生モード（ＰＢ）
内部メモリ２１３  または外部メモリ２３１  に記録されている指定された１駒分の画像データを再生する。
メモリ変更（またはメモリ選択）モード（ＣＨＡＮＧＥ）
記録または再生処理（消去を含む）を内部メモリ２１３  または外部メモリ２３１  のどちらに対して行うか決定する。
コピー・モード（ＣＯＰＹ）
内部メモリ２１３  と外部メモリ２３１  間で指定された１駒分の画像データを転送して記憶する。
全コピー・モード（ＣＯＰＹ    ＡＬＬ）
内部メモリ２１３  と外部メモリ２３１  との間で，そこに記憶されているすべての画像データを転送しかつ記憶する。
消去モード（ＥＲＡＳＥ）
内部メモリ２１３  または外部メモリ２３１  の指定された画像データを消去する。
【０１０８】
これらのモードはモード選択ボタン２３３  によって選択することができる。すなわち，モード選択ボタン２３３  を１回押すたびに表示部２２１  に表示されているモードが一定の順序で変化する。表示されている文字によって表わされるモードが選択されていることになる。
【０１０９】
以下，これらの各モードの動作について説明する。
【０１１０】
記録モード（ＲＥＣ）が選択されると，内部メモリ２１３  に記録可能な残駒数および外部メモリ２３１  に記録可能な残駒数が表示セクション２２４  および２２５  にそれぞれ表示される。また，メモリ変更（メモリ選択）モード（ＣＨＡＮＧＥ）において設定されているメモリ（内部メモリ２１３  または外部メモリ２３１  のいずれか一方）に対応する表示セクション２２４  または２２５  における下線  ２２４ａまたは  ２２５ａが点灯する。この記録モードでは，上述したように，撮影された被写体像を表わす１駒分の画像データが圧縮処理されたのち，メモリ２１３  ，２３１  のうち選択されている方に記憶される。
【０１１１】
再生モード（ＰＢ）においては，再生中の駒番号が表示セクション２２４  または２２５  に表示される。下線  ２２４ａ，  ２２５ａのうち選択されているメモリに対応するものが点灯する。再生すべき画像の駒番号はＵＰボタン２３８  の押下によりインクレメントされ，ＤＯＷＮボタン２３７  の押下によりデクレメントされる。この再生モードでは，上述したように，内部メモリ２１３  または外部メモリ２３１  のうちの選択されたメモリから，指定された駒番号の画像データが読出され，伸張処理，再生処理ののち，コネクタ２１７  またはビューファインダ２１８  に与えられる。
【０１１２】
メモリ変更（選択）モード（ＣＨＡＮＧＥ）が選択されると，セレクト・ボタン２３４  を押すごとに，セクション２２４  ，２２５  における点灯している下線  ２２４ａ，  ２２５ａが切換わる。下線  ２２４ａの点灯は内部メモリ２１３  の選択を，下線  ２２５ａの点灯は外部メモリ２３１  の選択をそれぞれ表わす。確定ボタン２３５  が押されると，そのとき点灯している下線に対応するメモリの選択が確定する。システム・コントローラ２１０  はこのメモリ選択設定に応じてセレクタ２１２  を制御する。
【０１１３】
コピー・モード（ＣＯＰＹ）においては，画像データを読出すべき（転送元の）メモリが上記メモリ変更（ＣＨＡＮＧＥ）モードで決定される。もっとも，次に述べる転送方向の設定により転送元と転送先のメモリは確定するので，この操作および処理は必ずしも必要ではない。決定された転送元のメモリにおいて読出すべき画像データの駒番号がＵＰボタン２３８  またはＤＯＷＮボタン２３７  の操作により指定される。この指定された駒番号は表示セクション２２４  または２２５  に表示される。セレクト・ボタン２３４  の押下により，表示セクション２２６  における２つの矢印のうちの点灯している矢印が切換えられる。下側の右向きの矢印は内部メモリ２１３  から外部メモリ２３１  への転送を，上側の左向きの矢印は外部メモリ２３１  から内部メモリ２１３  への転送をそれぞれ表わしている。シャッタ・レリーズ・ボタン２３６  が押下されるとコピー動作が実行される。すなわち，選択されたメモリ２１３  または２３１  から指定された駒番号の１駒分の画像データが読出され，セレクタ２１２  を経て他方のメモリ２３１  または２１３  に転送され，そのメモリの空のエリアに記憶される。転送先のメモリの画像データの記憶場所または駒番号を指定するようにしてもよい。この転送を，転送すべき画像データを表示しながら行うようにすると，どのような画像のデータが転送されているかを知ることができる。
【０１１４】
全コピー・モード（ＣＯＰＹ    ＡＬＬ）においては，上記と同じようにして転送方向がセレクト・ボタン２３４  の押下によって決定され，決定された方向を示す矢印がセクション２２６  に表示される。シャッタ・レリーズ・ボタン２３６  が押されると，転送元のメモリに記憶されている全画像データが読出され，セレクタ２１２  を経て転送先のメモリに転送され，かつ記憶される。
【０１１５】
消去モード（ＥＲＡＳＥ）においては，消去すべき画像データを記憶したメモリが上記のメモリ変更（選択）モードで選択されたのち，消去すべき画像データの駒番号がＵＰボタン２３８  またはＤＯＷＮボタン２３７  を用いて指定される。シャッタ・レリーズ・ボタン２３６  の押下により指定された駒番号の画像データが消去される。
【０１１６】
以上のようにして第３実施例の電子スチル・カメラによると，第１の実施例の場合と同じように，必ずしもメモリ・カートリッジを携帯しなくても，撮影した画像の圧縮画像データを内部メモリ２１３  に保存することができる。内部メモリ２１３  に保存された画像データを再生，表示することもできるし，必要ならばメモリ・カートリッジの外部メモリに転送して格納することもできる。
【０１１７】
第４実施例
図１０はこの発明の第４実施例によるディジタル電子スチル・カメラの構成を示している。
【０１１８】
第４実施例による電子スチル・カメラ２４０  は図７に示す第３実施例の電子スチル・カメラ２００  と比較すると，セレクタ２１２  と内部メモリ２１３  が設けられていない点において相違する。他の構成は基本的には第３実施例の電子スチル・カメラ２００  におけるものと同じである。
【０１１９】
また，図１０においてはメモリ・カード２３０  の装着および抜取り（コネクタ２１６  への接続およびコネクタ２１６  からの離脱）を検知するスイッチ２４１  が図示されている。このメモリ・カード検知スイッチは第３実施例の電子スチル・カメラにおいても設けられているが，図７では図示が省略されていた。
【０１２０】
メモリ・カード検知スイッチ２４１  は，装着されたメモリ・カード２３０  が接触することにより接点がオン，オフするスイッチにより実現することもできるし，システム・コントローラ２１０  のプログラム実行処理上で実現することもできる。後者のメモリ・カード検知について詳述すると，メモリ・カード２３０  の外部メモリ２３１  の記憶エリアは，図１２に示すように，ヘッダ領域と画像データを格納する画像領域とに分けられている。ヘッダ領域には，このメモリ・カードがディジタル電子スチル・カメラ用であることを示す識別コードであるタプル（ｔｕｐｌｅ  ）ＩＤ（Ｉｄｅｎｔｉｆｉｃａｔｉｏｎ），タプルＩＤのデータ長を示すポインタ，外部メモリ２３１  の速度，種類を示すディバイスＩＤ，その容量を示すディバイス・サイズ・データ，およびこのタプルの終了を示すタプル終了コード（一般にＦＦｈが用いられる；ｈは１６進数であることを示す）が記録されている。システム・コントローラ２１０  はメモリ・カード２３０  のヘッダ領域のうちのディバイスＩＤのエリアをアドレスしてそこに記憶されているデータを読取る。メモリ・カード２３０  がコネクタ２１６  に接続されていればディバイスＩＤが読取られる。ディバイスＩＤは一般にＯＯｈ以外のデータであるから，読取ったデータがＯＯｈ以外であればメモリ・カード２３０  がコネクタ２１６  に接続されているとシステム・コントローラ２１０  によって判定される。データ・バスはＬレベルにプル・ダウンされているので，メモリ・カード２３０  が接続されていなければ読取りデータはＯＯｈであり，この場合にはメモリ・カード２３０  は装着されていないと判断される。
【０１２１】
第４実施例におけるディジタル電子スチル・カメラ２４０  においては，メモリ・カード２３０  の外部メモリ２３１  の画像領域が画像データで一杯になってしまってもはやそれ以上の画像データの記憶が不可能となった状態においても，またはメモリ・カード２３０  が装着されていない場合にも，少なくとも１駒分の画像の撮影が可能となる。
【０１２２】
図１１を参照して，メモリ・カード２３０  のメモリ２３１  の画像領域が画像データで一杯になっても撮影を可能とする処理について説明する。この処理は主にシステム・コントローラ２１０  によって実行される。
【０１２３】
電源がオンとされ（ステップ２５１  ），かつメモリ・カード２３０  が挿入（接続）されるとそのことが検知スイッチ２４１  によって検知される（ステップ２５２  ）。
【０１２４】
メモリ・カード２３０  がコネクタ２１６  に接続されていれば，その外部メモリ２３１  のヘッダ領域，その他の必要な領域のデータが読取られ，この読取りデータに基づいて外部メモリ２３１  の空領域の容量または記録済の駒数等が判別され，メモリ・カード２３０  に記録可能な残駒数が得られる。この残駒数は表示部２２１  に表示される（ステップ２５３  ）。
【０１２５】
残駒数が零またはそれ以外の駒数であるかどうかにかかわらず無条件でシャッタ・レリーズ・ボタンの押下が許可され，シャッタ・レリーズ・ボタンが押下されれば撮影によって得られた画像データがフレーム・メモリ２０７  に記憶される（ステップ２５４  ）。得られた画像データから輝度（Ｙ）データおよび色（Ｃ）データを生成する処理がＹ／Ｃ処理回路２０６  で行われ，その結果得られる輝度データおよび色データがフレーム・メモリ２０７  に再び記憶される（ステップ２５５  ）。
【０１２６】
このＹ／Ｃ処理ののち，先に検出された残駒数が零かどうか，すなわちメモリ・カード２３０  にもはや圧縮画像データを記録することができないかどうかが判定される（ステップ２５６  ）。
【０１２７】
メモリ・カード２３０  にまだ記録可能な空領域があれば，すなわち残駒数が零でなければ，ＤＣＴ変換および符号化による画像データ圧縮処理が行われ（ステップ２５７  ），この圧縮された画像データがメモリ・カード２３０  の外部メモリ２３１  に記録される（ステップ２５８  ）。この後，再びステップ２５３  に戻る。
【０１２８】
メモリ・カード２３０  の残駒数が零の場合には，もはやメモリ・カード２３０  には画像データを記録することができないから，新しいメモリ・カードをメモリ・カード２３０  と差換えるように表示部２２１  に表示するとともに，オート・パワー・オフ動作を解除する（ステップ２５９  ）。オート・パワー・オフ動作とは，前回の撮影処理後，再び撮影が行われないまま一定時間以上の時間が経過したときに自動的に主電源をオフとする処理である。動作電源が供給されなくなるとフレーム・メモリ２０７  に保持されている画像データ（Ｙ，Ｃデータ）が消去されてしまうからである。
【０１２９】
ユーザが満杯のメモリ・カードに代えて，新しいまたは少なくとも１駒分の画像データを記録できる空領域をもつメモリ・カードを装着すると，満杯のメモリ・カードの抜取りと新しいメモリ・カードの装着が検知スイッチ２４１  により検知される（ステップ２６０  ）。
【０１３０】
この後，システム・コントローラ２１０  は新たに装着されたメモリ・カード２３０  の外部メモリ２３１  をアクセスして画像データの記録可能な空領域があれば（ステップ２６１  ），フレーム・メモリ２０７  に保持されている輝度データおよび色データが所定の圧縮率で圧縮処理され，その後新たなメモリ・カードに記録される（ステップ２５７  ，２５８  ）。新たに装着されたメモリ・カード２３０  に空領域がなければ，再びメモリ・カード差換え要求の表示が行われるであろう。画像データ圧縮処理における圧縮率は，操作部２２２  において設定されるか，または自動的に決定されるであろう。
【０１３１】
メモリ・カードが装着されていない場合にも撮影を可能とするためには，ステップ２５２  でＮＯの場合であってもステップ２５３  の残駒数の表示，ステップ２５４  のシャッタ・レリーズ受付およびステップ２５５  のＹ／Ｃ処理に進み，Ｙ／Ｃ処理後の画像データをフレーム・メモリ２０７  に保持する。その後，カードが挿入されていなければ，ステップ２５９  〜２６１  ，２５７  〜２５８  と同じように，カード挿入要求を表示部２２１  に表示しかつオート・パワー・オフを解除し，メモリ・カードの挿入を検知したのち，挿入されたメモリ・カードの空領域をサーチし，空領域があれば，フレーム・メモリ２０７  に保持されている画像データを圧縮処理して，メモリ・カードに書込めばよい。
【０１３２】
このようにして，ディジタル電子スチル・カメラ内のディジタル信号処理に不可欠のフレーム・メモリを利用することにより，メモリ・カードの既定撮影駒数を超えて撮影したい場合でも，少なくとも１駒分は圧縮率の大小に拘らず一時的に保存するとができる。また，メモリ・カードが挿入されていない場合でも，撮影した画像データをフレーム・メモリに一時的に保存することができる。これら一時保存した画像データを新たなメモリ・カードが装着されたときに，このメモリ・カードに記録するよう動作させることにより，操作者の簡便さを増すことができる。
【図面の簡単な説明】
【図１】この発明の第１実施例による電子スチル・カメラの電子回路を示すブロック図である。
【図２】電子スチル・カメラの外観斜視図である。
【図３】（Ａ）  ，（Ｂ）  および（Ｃ）  は電子スチル・カメラの液晶表示器における表示例を示す。
【図４】この発明の第２実施例による電子スチル・カメラのための再生装置に内蔵された電子回路を示すブロック図である。
【図５】電子スチル・カメラおよび再生装置の外観斜視図である。
【図６】変形例による再生装置の電子回路のブロック図である。
【図７】この発明の第３実施例によるディジタル電子スチル・カメラの電気的構成を示すブロック図である。
【図８】表示部を示す。
【図９】操作部を示す。
【図１０】この発明の第４実施例によるディジタル電子スチル・カメラの電気的構成を示すブロック図である。
【図１１】動作を示すフロー・チャートである。
【図１２】メモリ・カードの外部メモリの各種領域を示す。
【符号の説明】
１０    電子スチル・カメラ
１２    液晶表示器
１２Ａ，１２Ｂ    表示セクション
１３    メモリ選択スイッチ
１４    メイン・スイッチ
２８    内部ＲＡＭ
２９    メモリ・カートリッジ
３１    外部ＲＡＭ
３６，５１    モニタ表示装置
４６    カートリッジ検出回路
４９    再生回路
１１０      再生装置
１１２      メモリ・カートリッジ
１１４      外部ＲＡＭ
１１６  ，１１７  ，１４８      コネクタ
１３４      コネクタ選択スイッチ
１３５      モニタ表示装置
１３６      操作選択スイッチ
１３７      順送りボタン
１３８      逆送りボタン
１３９      操作部
１５３  ，１５４      セレクタ
１５６      再生回路
１５７      記録回路
２００      ディジタル電子スチル・カメラ
２０５      メモリ・コントローラ
２０６      Ｙ／Ｃ処理回路
２０７      フレーム・メモリ
２０８      符号化／復号化回路
２０９      ＤＣＴ／逆ＤＣＴ変換回路
２１２      セレクタ
２１３      内部メモリ
２１５      再生処理回路
２１６  ，２１７      コネクタ
２２１      表示部
２２２      操作部
２３０      メモリ・カード
２３１      外部メモリ
２４０      ディジタル電子スチル・カメラ
２４１      メモリ・カード検知スイッチ
【図１】
0003621835.tif 000002
【図２】
0003621835.tif 000003
【図３】
0003621835.tif 000004
【図４】
0003621835.tif 000005
【図５】
0003621835.tif 000006
【図６】
0003621835.tif 000007
【図７】
0003621835.tif 000008
【図８】
0003621835.tif 000009
【図９】
0003621835.tif 000010
【図１０】
0003621835.tif 000011
【図１１】
0003621835.tif 000012
【図１２】
0003621835.tif 000013